(57)【要約】  本発明は、少なくとも２つの異なるプレスフィット域を有する複数のプレスフィットピンを備えるハウジング用の蓋に関する。さらに、本発明は、このような蓋を有するバッテリセンサ及びバッテリセンサを製造するための方法に関する。
2019508689.tif 000002
【特許請求の範囲】
【請求項１】
以下の、
−支持構造体（８）と、
−前記支持構造体（８）から張り出している複数のプレスフィットピン（３、５）と、を有するハウジング（７）用の蓋（４）であって、
−前記支持構造体（８）が、蓋材料によって被覆されていて、
−前記複数のプレスフィットピンから成る第一群の各前記プレスフィットピン（３）が各々、第一プレスフィット域（３ａ）及び第二プレスフィット域（３ｂ）を有し、前記第一プレスフィット域（３ａ）が、前記第二プレスフィット域（３ｂ）よりも、前記支持構造体（８）の近くに配置されていて、前記第一プレスフィット域（３ａ）が、前記第二プレスフィット域（３ｂ）よりも大きい最大の横断面を有する当該蓋（４）。
【請求項２】
−前記複数のプレスフィットピンから成る第一群の複数のプレスフィットピン（３）が、前記支持構造体（８）と材料接合して形成されていることを特徴とする請求項１に記載の蓋（４）。
【請求項３】
−複数のプレスフィットピンから成る第二群の各プレスフィットピン（５）が、前記第一プレスフィット域（３ａ）の前記最大の横断面よりも一貫して小さい横断面を有し、
−好ましくは、前記第二群が、並んで配置された一対の前記プレスフィットピン（５）を有することを特徴とする請求項１〜２のいずれか１項に記載の蓋（４）。
【請求項４】
−前記第一プレスフィット域（３ａ）及び前記第二プレスフィット域（３ｂ）が各々、互いに離間していて、又は
−前記第一プレスフィット域（３ａ）が、それぞれの前記第二プレスフィット域（３ｂ）に直接隣接していることを特徴とする前記請求項１〜３のいずれか１項に記載の蓋（４）。
【請求項５】
−前記第一群は、第一の対と第二の対とを成して、前後して配置されている４つのプレスフィットピン（３）有することを特徴とする請求項１〜４のいずれか１項に記載の蓋（４）。
【請求項６】
−前記蓋（４）は、一体化されたコネクタ（６）をさらに有することを特徴とする請求項１〜５のいずれか１項に記載の蓋（４）。
【請求項７】
−前記第二群の前記プレスフィットピン（５）は、前記コネクタ（６）の電気導体に結合されていることを特徴とする請求項６及び請求項３に記載の蓋（４）。
【請求項８】
−前記支持構造体（８）は、複数の前記プレスフィットピン（３、５）を他のピン及び／又は他の電気導体に結合することを特徴とする前記請求項１〜７のいずれか１項に記載の蓋（４）。
【請求項９】
−前記蓋（４）が、第一接合部材（１）と第二接合部材（２）とに結合されていて、
−前記第一プレスフィット域（３ａ）が、前記第一接合部材（１ａ）内に圧入されていて、前記第二プレスフィット域（３ｂ）及び、好ましくは前記第二群の前記プレスフィットピン（５）のプレスフィット域（５ａ）も、前記第二接合部材（２）内に圧入されていることを特徴とする請求項１〜８のいずれか１項に記載の蓋（４）。
【請求項１０】
−前記第一接合部材（１）は、測定抵抗（１）であり、及び／又は
−前記第二接合部材（２）は、プリント配線基板（２）であることを特徴とする請求項９に記載の蓋（４）。
【請求項１１】
−前記蓋（４）は、内部空間を包囲するハウジング（７）の一部であることを特徴とする請求項１〜１０のいずれか１項に記載の蓋（４）。
【請求項１２】
−測定抵抗（１）と、
−前記測定抵抗（１）の少なくとも一部にわたって降下する電圧を測定するように構成されている測定回路と、を有するバッテリセンサにおいて、
−前記測定抵抗（１）が、前記測定回路を包囲するハウジング（７）の一部として形成されていて、
−前記バッテリセンサが、下の蓋及び／又は上の蓋（４、１１）を有し、前記測定抵抗と１つ又は複数の前記蓋（４、１１）とが共同で、前記ハウジング（７）を形成し、
−複数の前記蓋（４）のうちの少なくとも１つの蓋（４）が、請求項１〜１１のいずれか１項にしたがって形成されていて、前記第一プレスフィット域（３ａ）が、前記測定抵抗（１）内に圧入されていて、前記測定回路が、プリント配線基板（２）上に実装されていて、前記第二プレスフィット域（３ｂ）が、このプリント配線基板内に圧入されていることを特徴とするバッテリセンサ。
【請求項１３】
複数の前記蓋（４）のうちの少なくとも１つの蓋（４）は、請求項７に記載の特徴をさらに有し、前記第二群の前記プレスフィットピン（５）のプレスフィット域（５ａ）が、前記プリント配線基板（２）内に圧入されている請求項１２に記載のバッテリセンサ。
【請求項１４】
複数の前記蓋（４）のうちの少なくとも１つの蓋（４）は、請求項５に記載の特徴をさらに有し、前記第一の対が、前記バッテリセンサの電流方向に見て前記第二の対の前に配置されていて、前記第一の対の複数の前記プレスフィットピン（３）間の結合線が、前記電流方向に対して直角に方向づけられていて、前記第二の対の複数の前記プレスフィットピン（３）間の結合線が、前記電流方向に対して直角に方向づけられている請求項１２又は１３に記載のバッテリセンサ。
【請求項１５】
バッテリセンサ、特に請求項１２〜１４のいずれか１項に記載のバッテリセンサを製造するための方法において、
以下の、
−請求項１〜１１のいずれか１項に記載の蓋（４）を提供するステップと、
−前記第一プレスフィット域（３ａ）を測定抵抗（１）内に圧入するステップと、
−前記第二プレスフィット域（３ｂ）をプリント配線基板（２）内に圧入するステップと、を有する当該方法。
【発明の詳細な説明】
【技術分野】
【０００１】
本発明はハウジングのための蓋、そのような蓋を伴うバッテリセンサ、及びバッテリセンサ製造のための方法に関する。
【背景技術】
【０００２】
バッテリセンサは、数多くの電気機器及び、特に自動車内部等でも、電流を測定するために使用され、その電流によって、例えば自動車バッテリといったバッテリが充電され、又は放電される。この場合、測定抵抗（シャントとも呼ばれる）が使用され得、この測定抵抗に随時の電流が通電し、この測定抵抗にわたって降下する電圧が測定される。この場合、オームの法則によって、当該通電する電流が推測され得る。
【０００３】
こうした測定抵抗は、例えば中実の金属製電気導体という形態で形成されていることがある。この場合、この導体はプリント配線基板と結合されているべきであり、測定抵抗及びプリント配線基板は共通のハウジング内に配置されなくてはならず、且つ、しかもプリント配線基板は、ハウジングに内設されたコネクタと接触されなくてはならないという問題が頻繁に起こる。
【０００４】
このために、既知のプレスフィット結合などが適用され得る。プレスフィット結合の重要な特徴は、例えば目の形状で形成され得る所謂プレスフィット域である。ピンに刻み込まれた構造であって、この構造が一方で、少なくとも一方向において、ピン自体よりも太く、及び他方で弾性的変形を可能として、その変形によってプレスフィット結合の保持力が実現される。
【０００５】
近年、プレスフィット結合はバッテリセンサ内部でも使用されていて、つまりは、２つの基本的に異なる適用方法において使用されている。一方で、測定抵抗で降下する電圧をプリント配線基板に導くため、及び配線基板上にある構成部材を介して、電圧を測定および評価するために、測定抵抗からプリント配線基板への電気接続が必要とされる。他方で、プリント配線基板からコネクタへの電気接続が必要とされ、この電気接続を通じてプリント配線基板にバッテリ電圧が印加され、通信インターフェースが結合される。
【０００６】
コネクタは通常、ハウジングに内設されていて、このハウジング内にプリント配線基板及び測定抵抗もある。コネクタのコンタクトピンは、典型的には、打ち抜き格子から型に合わせて押し切られていて、且つ、端部におけるプレスフィットコンタクトが施される。更なる作業段階において、測定抵抗は、その場合、同様にして、予め穿孔器によって生成されたプレスフィットコンタクトで実装され得て、このプレスフィットコンタクトは例えば測定抵抗上に溶接される。続いて、打ち抜き格子及び測定抵抗は、全てのピンのプレスフィット域がハウジング内部に突出して、且つ、そこでプリント配線基板の該当位置と同一面にあるように、ハウジング材料とともに射出成形され得る。さらなる作業段階において、プリント配線基板は、ハウジング内にプレスフィットピンで圧入され、且つ、蓋で封止され得る。
【発明の概要】
【発明が解決しようとする課題】
【０００７】
先行技術に従った実施形態は、特に、測定抵抗ピンの製造、コネクタピンの製造、測定抵抗ピンの測定抵抗との結合及び、測定抵抗及び打ち抜き格子のハウジングとのインサート成形それぞれが、各個別の作業工程において行われるという短所を有して、このことが総じて特段な労力を要する方法遂行に繋がることが、既に明らかとなっている。
【０００８】
故に、本発明の課題は、より容易な実施形態及び／又は方法遂行を可能とする蓋を設置することである。さらに、本発明の課題は、バッテリセンサに、このような蓋を設置することである。これに加えて、本発明の課題は、バッテリセンサ生成に相応しい方法を提供することにある。
【課題を解決するための手段】
【０００９】
この課題は、本発明に関連する請求項１に記載の、
以下の、
−支持構造体（８）と、
−前記支持構造体（８）から張り出している複数のプレスフィットピン（３、５）と、を有するハウジング（７）用の蓋（４）であって、
−前記支持構造体（８）が、蓋材料によって被覆されていて、
−前記複数のプレスフィットピンから成る第一群の各前記プレスフィットピン（３）が各々、第一プレスフィット域（３ａ）及び第二プレスフィット域（３ｂ）を有し、前記第一プレスフィット域（３ａ）が、前記第二プレスフィット域（３ｂ）よりも、前記支持構造体（８）の近くに配置されていて、前記第一プレスフィット域（３ａ）が、前記第二プレスフィット域（３ｂ）よりも大きい最大の横断面を有する当該蓋（４）によって解決される。
さらに、この課題は、請求項１２に記載の、
−測定抵抗（１）と、
−前記測定抵抗（１）の少なくとも一部にわたって降下する電圧を測定するように構成されている測定回路と、を有するバッテリセンサにおいて、
−前記測定抵抗（１）が、前記測定回路を包囲するハウジング（７）の一部として形成されていて、
−前記バッテリセンサが、下の蓋及び／又は上の蓋（４、１１）を有し、前記測定抵抗と１つ又は複数の前記蓋（４、１１）とが共同で、前記ハウジング（７）を形成し、
−複数の前記蓋（４）のうちの少なくとも１つの蓋（４）が、請求項１〜１１のいずれか１項にしたがって形成されていて、前記第一プレスフィット域（３ａ）が、前記測定抵抗（１）内に圧入されていて、前記測定回路が、プリント配線基板（２）上に実装されていて、前記第二プレスフィット域（３ｂ）が、このプリント配線基板内に圧入されているバッテリセンサによって解決される。
さらに、この課題は、請求項１５に記載の、
バッテリセンサ、特に請求項１２〜１４のいずれか１項に記載のバッテリセンサを製造するための方法において、
以下の、
−請求項１〜１１のいずれか１項に記載の蓋（４）を提供するステップと、
−前記第一プレスフィット域（３ａ）を前記測定抵抗（１）内に圧入するステップと、
−前記第二プレスフィット域（３ｂ）をプリント配線基板（２）内に圧入するステップと、を有する当該方法によって達成される。その他の構成は、例えば、それぞれの従属請求項に記載されている。当該請求項の詳細は、明細書に詳細に記載されている。
【００１０】
本発明は、ハウジング用の蓋に関している。蓋は、担持構造及び複数のプレスフィットピンを有し、これらプレスフィットピンは担持構造から突起している。担持構造は、蓋材料によって被覆されている。プレスフィットピン第一群の各プレスフィットピンは各自、第一プレスフィット域及び第二プレスフィット域を有し、第二プレスフィット域よりも、第一プレスフィット域が担持構造近くにある。第一プレスフィット域は、最大の横断面を有し、この横断面は第二プレスフィット域を上回っている。
【００１１】
本発明に係る蓋によって、特段に簡易な方法で、例えばプリント配線基板及び測定抵抗といった、２つの隣接する電気構成要素を、同時にプレスフィットピンを介して接触させることが可能である。これに加えて、例えば第一構成要素は、第一プレスフィット域によって接触され得て、及び第二構成要素は、第二プレスフィット域によって接触され得る。これは、ごく簡単な製造過程において行われ得る。このことについては、続く下記において、より詳細に論じられる。
【００１２】
この場合、プレスフィット域は、典型的には、例えばプリント配線基板又は測定抵抗といった他の構成要素に結合されるために形成されている領域である。これに加えて、随時のプレスフィット域は、典型的には、プレスフィットピンを長手方向に見て、まず上昇してから、再び減少する横断面を伴いながら、形成されている。こうして、最大の横断面は、典型的には、プレスフィットピンの長手方向に対して斜めの随時の平面に関連する。この場合、プレスフィット域は、有利には弾性があって、その結果、特段に有益な接触が生成され得る。
【００１３】
プレスフィットピン第一群は、有利には、担持構造と材料接合して形成されている。これが、容易な生成及び、確実な電気接続を可能にする。特に、担持構造及びプレスフィットピン第一群は、一共通の板金から打ち出（ブランキング）される、又は一共通の板金から形作られ得る。特にブランキング方法使用の場合、打ち抜き格子構造のことでもあり得て、この打ち抜き格子構造は、担持構造及び、そこに結合されたプレスフィットピンを有している。
【００１４】
１つの発展形態に従って、第二群プレスフィットピンの各プレスフィットピンは横断面を有し、この横断面は一貫して第一プレスフィット域の最大横断面を下回っている。これは、第二群プレスフィットピンのプレスフィットピンを、２つの構成要素の単に１構成要素に接触することに利用し、この１構成要素がプレスフィットピン第一群に接触されることを可能にする。これに加えて、特に第二群の各プレスフィットピンは、接触されない構成要素の相応な大きさの穿孔を貫通して、且つ、接触され得る構成要素と結合していることが可能である。
【００１５】
１つの実施形態に従って、第二群は、隣り合って配置されたプレスフィットピンの少なくとも一つの対を有する。これは、典型的応用のために、合目的的として顕れた。特に、１対のプレスフィットピンの間の結合線は、バッテリセンサの電流方向に対して直角であり得る。これは、非対称性の導入を阻止して、この非対称性は、電流の流れを、予見困難な方法で、影響し得る。１対のプレスフィットピンの代わりに、２つを上回る、例えば３つ、４つ又はそれ以上のプレスフィットピンの構造も使用され得る。これらも、バッテリセンサの電流方向に対して直角である結合線を有し得る。
【００１６】
プレスフィットピン第二群は、担持構造でも、材料接合して結合されていることが可能である。
【００１７】
第一プレスフィット域及び第二プレスフィット域は、随時、互いに離間していることが可能である。第一プレスフィット域は、しかしながら、随時にも、第二プレスフィット域に直接に、隣接する。これら実施形態は、複数のプレスフィットピンにおいても交互に組み合わせ可能であると理解されるべきである。  
【００１８】
１つの実施形態に従って、第一群は、４つのプレスフィットピンを有し、これらプレスフィットピンは、第一の対と第二の対を成して、前後して配置されている。これは、典型的な応用のために有益であるとして明らかとなっている。特に、各対の各プレスフィットピン間の結合線は、電流方向に対して直角に方向付けられ得て、この事が等電位の測定を可能にする。１対のプレスフィットピンの使用によって、電流容量は随時上昇させられ得て、板金の強さを変える必要なく、特に倍増させられ得る。各対のプレスフィットピンは、特に相互に導通接続されていることがあり得て、例えば担持構造の相応する形態によって、等電位で測定する場合に、有利であり得る。
【００１９】
１対の代わりに、適宜、２つを超えるプレスフィットピン、例えば３つ、４つ又はそれ以上のプレスフィットピンも使用され得る。これらプレスフィットピンも結合線を有し得て、この結合線は、バッテリセンサの電流方向に対して直角であり、これらプレスフィットピンは、相互に導通接続されていることが可能である。
【００２０】
１つの発展形態に従って、蓋は、もう１つの内設されるコネクタを有している。これは、ハウジング内にある構成要素及び、加えて外部の構成要素の間に電気接続を生成するために、特に役立ち得る。
【００２１】
特に、プレスフィットピン第二群は、コネクタの電気導体に結合されていることがあり得る。これは、構成要素の１つの特別な接触を、コネクタによって可能にする。
【００２２】
有利には、担持構造が複数のプレスフィットピンを他のピンに、及び／又は他の電気導体に結合する。これは、より複雑なプレスフィットピン及び他の電気導体間における電気接続の可変的で且つ容易な生成をも可能にする。
【００２３】
１つの有利な実施形態によれば、蓋は第一接合部材及び第二接合部材と結合している。この場合、有利にも、第一プレスフィット域は第一接合部材に圧入されていて、及び第二プレスフィット域は、第二接合部材に圧入されている。プレスフィットピン第二群が存在する限り、これらプレスフィットピンは、好ましくは第二接合部材内に圧入される、しかしながら、例えば代替的又は、これに追加して、第一接合部材にも圧入され得る。これが有利な構造を可能にし、この構造中、両方の接合部材は、プレスフィットピン第一群を介して、互いに、及び場合により他の構成要素と結合していて、この構造中、第二接合部材は、外部の構成要素と、個別に結合され得る。
【００２４】
例えば第一接合部材は、測定抵抗であり得る。同様に、第二接合部材は、プリント配線基板であり得る。これは、まさしくバッテリセンサ内での応用にとって有利であると明らかになっている。
【００２５】
蓋は、特にハウジングの一部分であり得て、このハウジングは、内部空間を包囲している。このようなハウジングは、特に機械的保護を実現して、且つ加えて、液体の浸入及び／又は有害な成分に対して封止され得る。
【００２６】
さらに、本発明はバッテリセンサに関していて、このバッテリセンサは、測定抵抗及び測定回路を有していて、この測定回路は、測定抵抗の少なくとも一部分にわたって降下する電圧を測定するために構成されている。
【００２７】
本発明に関し、バッテリセンサにおいて、測定抵抗は、測定回路を包囲するハウジングの一部として形成されていることが予見されている。この場合、バッテリセンサは、下部の蓋及び／又は上部の蓋を有していて、測定抵抗及び１つの蓋、又は複数の蓋と伴にハウジングを形作る。本発明に関し、本発明による複数蓋の少なくとも１つが形成されている。この場合、解説された全実施形態、及び蓋の多様な形状が採用され得る。この場合、第一プレスフィット域は、典型的には測定抵抗に圧入されていて、且つ測定回路が、有利には、プリント配線基板上に載置されていて、このプリント配線基板に第二プレスフィット域が圧入されている。
【００２８】
本発明に係るバッテリセンサによって、さらに上記で解説された、本発明に係るバッテリセンサ用の蓋の長所が利用可能にされ得る。特に測定回路は、測定抵抗にわたって降下する電圧を測定し得て、その結果、通電する電流が推測され得る。この場合、特に長期的に安定し、及び／又は温度的に安定した測定抵抗に関していて、又やや不安定な測定抵抗に関していて、この測定抵抗は、常時に較正される。
【００２９】
１つの有利な実施形態に従って、プレスフィットピン第二群はコネクタの電気導体と結合し、及びプレスフィットピン第二群のプレスフィット域は、プリント配線基板に圧入される。これは、特に有利にも、プリント配線基板を、測定抵抗とは別個に、バッテリセンサの外にある構成要素と結合することを可能にする。例えば、プレスフィットピン第二群を介して、プリント配線基板は、車両電子機器と結合していることがあり得る。この場合、測定抵抗への電気接続は存在せず、この電気接続は、この場合において、望ましくもない。バッテリセンサの電流方向に対して直角の結合線を伴うプレスフィットピン第二群の対（つい）構造が、特に非対称性を阻止する。この非対称性は、特定困難な形で測定に影響しかねない。
【００３０】
１つの有利な実施形態に従えば、第一群は、４つのプレスフィットピンを有し、これらプレスフィットピンは、第一の対と第二の対とを成して、前後して配置されている。この場合、特段に有利に想定されるのは、第一対が、バッテリセンサの電流方向に見て、第二対の前に配置されていることであり、第一対のプレスフィットピン間における結合線が、電流方向に対して直角に方向づけられていて、及び第二対のプレスフィットピン間の結合線が、電流方向に対して直角に方向づけられていることである。これによって、各対のプレスフィットピンは、特に等電位で測定できる。比較的分厚い材料を採用する必要なく、プレスフィットピンの対の利用によって、電流容量は増やされる。
【００３１】
本発明は、さらにバッテリセンサの製造のための方法に関していて、特に本発明によるバッテリセンサに関していて、全ての解説された多様な形状、及び実施形態が採用され得る。この方法は、次の段階を有する。
−全ての解説された多様な形状、及び実施が採用され得る、本発明に係る蓋の提供、
−第一プレスフィット域の測定抵抗への圧入、及び
−第二プレスフィット域のプリント配線基板内への圧入。
【００３２】
この方法は、バッテリセンサの特段に有利な製造，特に本発明に係るバッテリセンサの製造を可能にする。相応して製作されたプレスフィットピンを伴う蓋の特殊な発展形態によって、簡易な嵌合を通じて、測定抵抗及びプリント配線基板の接触が実現され得る。この場合、良好な電気接触も形成され、この電気接触は、通常の使用期間を通じての確実な機能性のために、特に有利である。
【００３３】
本発明の個々の特徴は、特に１つの作業工程中に、２つ又はそれ以上の接合部材のために内設された圧入ピンを伴うハウジングの製造を可能にし、これら接合部材は相互に電気に結合される必要がある。この関係において、プレスフィットピンが基本的に２つを超えるプレスフィット域をも有し得て、このプレスフィット域が相応に拡張され得て、典型的には随時に蓋又は担持構造からさらに隔たって配置されたプレスフィット域が最大横断面を有し、この横断面が随時、蓋又は担持構造に比較的近くにあるプレスフィット域に比して、小さいということは言及される必要がある。
【００３４】
打ち抜き格子は、想定される全電気接続にとって特段に有利に、同時形成され、且つハウジング中に射出成形され得る。続いて、ハウジングは、蓋によって閉じられ得る。この場合に、先行技術に従い典型的に必要な、続く作業工程が欠落する。つまり、１つの又は複数のピンの個別生成（これらのピンは、測定抵抗をプリント配線基板及び挿入接続のための打ち抜き格子と結合するのに役立つ。）、測定抵抗上のピンの取り付け、及びに打ち抜き格子との接触による測定抵抗の固定である。
【００３５】
その代りに、打ち抜き格子は全ての必要なピンと伴に、有利には一度に生成され、及びその周辺のハウジングは射出成形される。２つの更なる作業工程中、特に最初に、測定抵抗及び、次にプリント配線基板が、ハウジングに圧入され得る。最後に、ハウジングが蓋によって閉じられ得る。
【００３６】
更なる特徴及び長所を、当業者は、下記、貼付の製図に関連して、解説された実施例から見て取れることとなる。
【図面の簡単な説明】
【００３７】
【図１】本発明に係る蓋の断面図である。
【図２】図１の蓋の平面図である。
【図３】描き込まれた領域を伴う図２の図示である。
【図４】図４は、図３に描き込まれた領域の拡大図である。
【図５】図５は蓋の部分図である。
【図６】図６はバッテリセンサの図である。
【発明を実施するための形態】
【００３８】
図１は、第一接合部材が測定抵抗１の形で、及び第二接合部材がプリント配線基板２の形で本発明に係る蓋４を介して互いに結合される様子を示している。本発明に係る蓋４中に、プレスフィットピン第一群の複数プレスフィットピン３が配置されている。第一群の各プレスフィットピン３は、各々に、第一プレスフィット域３ａ及び第二プレスフィット域３ｂを有する。この場合、各第二プレスフィット域３ｂは、蓋４の底板から隔たっていて、各第一プレスフィット域３ａがこの底板から隔たっているよりも、さらに隔たっている。
【００３９】
さらに、各第一プレスフィット域３ａは、最大限の横断面を有し、この横断面は、各第二プレスフィット域３ｂより高位置である。この場合、横断面は、各プレスフィットピン３の長手方向の延びに対して横向き見られる。
【００４０】
第一群プレスフィットピン３は、担持構造８と電気接続されていて、及び他の構成要素とも結合されていて、このことは、詳細には図示されていない。担持構造８は、蓋４内にインサート成形によって収容されている。これが、可変的接触並びに電気的及び機械的保護を可能にする。
【００４１】
さらに、蓋４がプレスフィットピン第二群の複数プレスフィットピン５を有する。第二群の各プレスフィットピン５は、１つのみプレスフィット域５ａを有していて、このプレスフィット域は、その形態おいて、即ち、特に間隔及び最大限の横断面に関して、プレスフィットピン第一群のプレスフィットピン３の各第二プレスフィット域３ｂに相当する。
【００４２】
蓋４はさらにコネクタ６を有し、コネクタ６の導体は第二群プレスフィットピンのプレスフィットピン５と結合している。
【００４３】
蓋４は、他の詳述されていない構成要素と共に、ハウジング７を形成する。これが内部空間を包囲して、この内部空間内に、特にプリント配線基板２があり、且つ、測定抵抗１は、この内部空間を通って存在しながら、突き出ている。
【００４４】
図示されているように、この第一プレスフィット域３ａが、測定抵抗１が圧入されることによって、測定抵抗１は、プレスフィットピン第一群のプレスフィットピン３の各第一プレスフィット域３ａと結合している。図示されているように、それによって、測定抵抗１は、長手方向沿って２ヶ所に存在しつつ、接触されて、そのことが特に測定抵抗１の一部にわたって降下する電圧の測定を可能にする。
【００４５】
プリント配線基板２は、プレスフィットピン第一群のプレスフィットピン３の第二プレスフィット域３ｂと、及びプレスフィットピン第二群プレスフィットピン５のプレスフィット域５ａとも結合している。第一の方は、プリント配線基板２上にある電子機器が、測定抵抗１の対応する部分にわって降下する電圧を計測することを可能にする。第二の方は、プリント配線基板２に外部から接触することを可能にする。
【００４６】
この場合に特に留意され、且つ顕著に図１中に見て取られるべきは、プレスフィットピン第二群のプレスフィットピン５が、測定抵抗１と接触しておらず、測定抵抗１における相応の穿孔を貫通していることである。これは、図示された有利な構造によって、簡易な方法で実現される。
【００４７】
図２は、図１の蓋４の平面図を示している。この場合、見て取られるべきは、プレスフィットピン第一群には、合計４つのプレスフィットピン３があり、これらプレスピンは、２組の対で配置されていることである。その他に見て取られるべきは、プレスフィットピン第二群の２つのプレスフィットピン５が在り、このプレスピンが１組の対で配置されていることである。詳細に関しては、図１の解説を参照されたい。
【００４８】
典型的な電流方向が図２中に、矢印によって描き込まれている。
【００４９】
図３は図２と同じ描写を示し、但し、図３には、追加して、１つの領域が描き込まれている。この領域は、図４中に拡大描写されている。
【００５０】
図４は、プレスフィットピン第一群の２つのプレスフィットピン３の配置を、拡大図で示している。この場合、顕著に見て取られるべきは、プレスフィットピン３が、第一プレスフィット穿孔９及び第二プレスフィット穿孔１０に接触していて、この第一プレスフィット穿孔が、測定抵抗１中に形成されていて、前記第二プレスフィット穿孔１０が、プリント配線基板２中に形成されていることである。これが、既に解説された、有利な電気接続を実現して、この電気接続は電圧測定に供する。
【００５１】
図５は、図４の描写を、今一度、拡大して示している。詳細に関しては、上の解説を参照されたい。この場合、顕著に見て取られるべきは、第一プレスフィット穿孔９が、第二プレスフィット穿孔１０を大きく上回って、このことが、第一プレスフィット域３ａ及び第二プレスフィット域３ｂの相応する最大限の断面にも相当することである。これが、既に解説された接触の態様を実現する。
【００５２】
図６は、本発明に係るバッテリセンサの実施例を示している。この場合、蓋４が見て取れ、この蓋から、プレスフィットピン第一群の計４つのプレスフィットピン３、及びプレスフィットピン第二群の２つのプレスフィットピン５が突出している。
【００５３】
蓋４の上に、測定抵抗１が形成されていて、この測定抵抗中に４つの第一プレスフィット穿孔９が形成されていて、これら第一プレスフィット穿孔は、プレスフィットピン３の第一群の第一プレスフィット域３ａの収容に供する。その上に当接して、プリント配線基板２が配置され、このプリント配線基板中に計６つの第二プレスフィット穿孔１０が配置されている。これらは、プレスフィットピン３の第一群の第二プレスフィット域３ｂの収容、及びプレスフィットピン第二群５のプレスフィット域５ａの収容に供する。これにより、上記で既に言及された電気接触が生成され得る。
【００５４】
図示された実施形態に関して言及に値するのは、測定抵抗１が、ハウジング７の一部を構成しているということである。これが、有利で、簡潔で、且つ高密度の実施形態を可能にする。ハウジング７は、完成のために、さらにもう一つ別の蓋１１を有し、この蓋は上から測定抵抗１に載置される。蓋４及び他の蓋１１も、其々が示されたクリップ結合体によって、測定抵抗１とクリップ結合されている。こうして、構設状態において、簡潔及び高密度のハウジングが生まれる。
【００５５】
プレスフィットピン５の第二群のプレスフィットピンは、挿入接続と呼ばれ得ることが、理解されるべきである。蓋４及び蓋１１の両方は、典型的に、測定抵抗１の各平面に載っている。蓋４及び蓋１１は、例えば桶状に形成され得る。
【００５６】
図１に図示の実施例において、測定抵抗が複数の側部で、ハウジング７から、突出している。これが、特に電流測定用の装置にとって有利である。なぜなら、ハウジング７から突出している測定抵抗の一部分に、計測されるべき電流に供する導管が、有利にも接続され得るからである。測定抵抗１以外の電気構成部材も基本的に使用され、及び有利にもプリント配線基板２と結合され得る。これらは、ハウジング７から突出し得て、及びハウジング７から突出しないことがあり得る。
【００５７】
図６の実施形態に際して、特に言及されるべきは、内設されるコネクタ６を伴う蓋４が、プレスフィットピン第一群のプレスフィットピン３を伴う担持構造８を有していて、これらプレスフィットピンが、第一作業工程において、比較的厚い圧入域、又は第一プレスフィット域３ａと伴に、測定抵抗１の４つのフィットピンのために設置された第一プレスフィット穿孔に圧入され得ることである。続いて、プリント配線基板２は、そのために設置されたプレスフィット穿孔１０によって、比較的薄い圧入域、又は第二プレスフィット域３ｂに、各プレスフィットピン３の端部において圧入され得る。同時に、プレスフィットピン第二群のプレスフィットピン５は、コネクタ６の電気導体と結合していて、プリント配線基板２に圧入され得る。当該構造は、最後に、もう１の蓋１１で封止される。
【００５８】
図６において顕著に見て取れるのは、第一群のプレスフィットピン３が、２組の対で前後に配置されていて、電気的に担持構造８を介して、各対のプレスフィットピンが相互に結合していることである。電流方向は、図示された実施形態において、各対のプレスフィットピン３間の各結合線に対して直角に延びる。これによって、さらに上で言及された長所が達成される。
【００５９】
理解されるべきは、２つのプレスフィット域を伴うプレスフィットピンの代わりに、又は１つのプレスフィット域を伴うプレスフィットピンの代わりに、２つ以上のプレスフィット域も、例えば増大する厚さで縦つなぎされ得て、その結果、３つ又はそれ以上の接合部材のための重複プレスフィットピン、又は重複圧入ピンが出来上がることである。
【００６０】
言及された本発明に係る方法の段階は、記載の順序で実施され得る。但し、これらの段階は、それ以外の順序でも実施され得る。本発明に係る方法は、実施形態の１つにおいて、例えば段階の一定の組み合わせによって、他の段階が実施されないように、実行され得る。しかし、基本的には他の段階も実施され得て、そのような段階は言及されていない。
【００６１】
この申請に帰属の請求項は、更なる保護の実現を断念することを意味しない。
【００６２】
１つの特徴、又は特徴群は、必ずしも必要ではないことが、方法の進行過程において明らかになる限り、申請者側において、すでに今、少なくとも独立請求項の表現が求められ、この請求項は特徴、又は特徴群を、それ以上有さない。この場合、例えば申請日にある請求項の下位の組み合わせの事であり得て、又は、更なる特徴によって制限される請求項の下位の組み合わせの事であり得て、この下位の組み合わせは申請日にある事があり得る。このような新たに叙述される請求項、又は特徴の組み合わせが、この申請の開示によって、共に保護されていると理解されなくてはならない。
【００６３】
さらに明記されるべきは、様々な実施形態又は実施例において解説され、及び／又は図中に示された本発明の発展形、特徴及び変形が、任意で、相互に組み合わせ可能であることである。個々の特徴又は複数の特徴は、任意で交互に交換可能である。ここから生じる特徴の組み合わせが、この申請の開示によって共に保護されていると理解されなくてはならない。
【００６４】
帰属の請求項における依存性は、依存する従属請求項の特徴のための、独立して、該当する保護の実現断念と解されてはならない。これらの特徴は、任意でも、他の特徴と組み合わせられ得る。
【００６５】
単に明細書中に明示された特徴、又は明細書中、又は請求項中で他の特徴との関連においてのみ明示された特徴は、基本的に独立している、発明に根本的意味を有し得る。故に、これらの特徴は、それぞれ先行技術との明確な区別のために、特許請求に取り込まれ得る。
【図１】
2019508689.tif 000003
【図２】
2019508689.tif 000004
【図３−４】
2019508689.tif 000005
【図５】
2019508689.tif 000006
【図６】
2019508689.tif 000007
【国際調査報告】
2019508689.tif 000008
2019508689.tif 000009
2019508689.tif 000010
2019508689.tif 000011
2019508689.tif 000012
2019508689.tif 000013